(57)【要約】【課題】テレビなどの外部機器側に標準的に具備されているインターフェースを利用して、当該外部機器が消えているときであっても携帯電話機への着信を当該外部機器を介して報知することができる技術を提供する。【解決手段】携帯電話機１０が、音声通話及びデータ通信の少なくとも一方の着信時に、着信を報知する情報を含む着信情報信号をＨＤＭＩ規格に準拠させて生成する信号生成部１と、ＨＤＭＩ規格に準拠した信号伝送媒体２を介して、ＨＤＭＩ規格に準拠した信号伝送が可能な外部機器２０と通信し、着信情報信号を外部機器２０に出力するＨＤＭＩ通信部３とを備える。【選択図】図２
2011091699.tif 000002
【特許請求の範囲】
【請求項１】
音声通話及びデータ通信の少なくとも一方の着信時に、着信を報知する情報を含む着信情報信号をＨＤＭＩ規格に準拠させて生成する信号生成部と、
ＨＤＭＩ規格に準拠した信号伝送媒体を介して、ＨＤＭＩ規格に準拠した信号伝送が可能な外部機器と通信し、前記着信情報信号を前記外部機器に出力するＨＤＭＩ通信部と、を備える携帯電話機。
【請求項２】
前記外部機器は、テレビである請求項１に記載の携帯電話機。
【請求項３】
前記ＨＤＭＩ通信部は、前記着信情報信号の送信に際して、所定時間内に前記外部機器から応答が無い場合には、前記外部機器を起動させるウェイクアップコマンドを送信する請求項１又は２に記載の携帯電話機。
【請求項４】
ＨＤＭＩ規格に準拠した信号伝送媒体を介して接続された携帯電話機とテレビとを含む着信報知システムであって、
前記携帯電話機に備えられ、音声通話及びデータ通信の少なくとも一方の着信時に、着信を報知する情報を含む着信情報信号をＨＤＭＩ規格に準拠させて生成する信号生成部と、
前記携帯電話機に備えられ、前記信号伝送媒体を介して、前記テレビとの間でＣＥＣ信号を双方向通信すると共に、前記着信情報信号をＴＭＤＳ信号として前記テレビへ出力する電話側ＨＤＭＩ通信部と、
前記テレビに備えられ、前記信号伝送媒体を介して、前記携帯電話機との間でＣＥＣ信号を双方向通信すると共に、前記着信情報信号を受け取るテレビ側ＨＤＭＩ通信部と、
前記テレビに備えられ、前記着信情報信号に基づいて、前記携帯電話機への着信を視覚的な報知及び聴覚的な報知の少なくとも一方により報知する報知部と、を備える着信報知システム。
【請求項５】
前記電話側ＨＤＭＩ通信部は、前記着信情報信号の送信に際して、所定時間内に前記テレビから応答が無い場合には、前記テレビを起動させるウェイクアップコマンドを送信する請求項４に記載の着信報知システム。
【請求項６】
前記電話側ＨＤＭＩ通信部は、前記着信情報信号を送信、前記テレビを介して前記携帯電話機への着信を報知した後、前記テレビを前記着信情報信号の送信前の状態に戻す復帰コマンドを送信する請求項４又は５に記載の着信報知システム。
【請求項７】
前記テレビは、ユーザにより当該テレビを遠隔操作可能なリモートコントローラからの指示を含む操作指示を受け付ける操作指示受付部を有し、
前記テレビ側ＨＤＭＩ通信部は、前記操作指示に基づいて前記携帯電話機へ着信内容の送信を要求するメッセージ要求コマンドを送信し、
前記電話側ＨＤＭＩ通信部は、前記携帯電話機への着信内容を前記テレビへ送信する請求項４〜６の何れか一項に記載の着信報知システム。
【請求項８】
前記テレビ側ＨＤＭＩ通信部は、前記テレビが受信中の放送が少なくとも本編及び広告の何れであるかを示す放送識別コマンドを送信し、
前記電話側ＨＤＭＩ通信部は、前記放送識別コマンドに基づいて異なる形態で前記携帯電話機への着信を報知させるコマンドを送信する請求項４〜７の何れか一項に記載の着信報知システム。
【発明の詳細な説明】
【技術分野】
【０００１】
本発明は、携帯電話機への着信を外部機器を介して報知する携帯電話機、及び携帯電話機への着信を報知する着信報知システムに関する。
【背景技術】
【０００２】
外出時には携帯電話機を身につけていても、家の中では机や棚などに携帯電話機を置くことが多く、電話やメールの着信に利用者が気づかない場合がある。これに鑑みて、携帯電話機への着信を報知する技術が種々提案されている。特開２００２−３５９６７０号公報（特許文献１）には、短距離無線通信機能を有した携帯電話機から、同規格の短距離無線通信機能を有したテレビへ着信情報を送信して、当該テレビに必要な表示を行わせる報知システムが記載されている。また、特開２００３−３０４３０４号公報（特許文献２）には、携帯電話機への着信時に携帯電話機から発信される受信確認を示す電波を受信して、テレビの画面に着信があったことを表示させる着信表示装置が記載されている。
【先行技術文献】
【特許文献】
【０００３】
【特許文献１】特開２００２−３５９６７０号公報（第７段落等）
【特許文献２】特開２００３−３０４３０４号公報（請求項１等）
【発明の概要】
【発明が解決しようとする課題】
【０００４】
特許文献２では、携帯電話機から発信される受信確認を示す電波を受信するためのアンテナや受信回路などをテレビに設ける必要がある。特許文献１では、携帯電話機とテレビとの双方が、同一規格の短距離無線通信機能を有している必要がある。また、特許文献１及び特許文献２に共通し、テレビ自体が消えているときには、携帯電話機への着信情報が表示されず、着信の報知を行うことができない。
【０００５】
従って、テレビなどの外部機器側に標準的に具備されているインターフェースを利用して、当該外部機器が消えているときであっても携帯電話機への着信を当該外部機器を介して報知することができる技術が求められる。
【課題を解決するための手段】
【０００６】
上記課題に鑑みて創案された本発明に係る携帯電話機の特徴構成は、
音声通話及びデータ通信の少なくとも一方の着信時に、着信を報知する情報を含む着信情報信号をＨＤＭＩ規格に準拠させて生成する信号生成部と、
ＨＤＭＩ規格に準拠した信号伝送媒体を介して、ＨＤＭＩ規格に準拠した信号伝送が可能な外部機器と通信し、前記着信情報信号を前記外部機器に出力するＨＤＭＩ通信部と、を備える点にある。
【０００７】
デジタル機器向けのインターフェースであるＨＤＭＩ規格は、デジタル放送に対応したテレビなど、デジタルＡＶ機器にほぼ標準的に装備されている。外部機器は、例えばこのようなデジタルＡＶ機器など、ＨＤＭＩ規格に準拠した信号伝送が可能な機器である。ＨＤＭＩ規格を用いれば、外部機器にデコーダなどの専用チップやソフトウェアを必要とすることなく、映像や音声を非圧縮で携帯電話機から外部機器へ転送できる。さらに、ＨＤＭＩ規格は、接続機器同士が互いに認識することができるインテリジェント機能も有するので、当然ながら、制御信号により、接続された機器間の連携も容易である。また、ＨＤＭＩ規格では、映像、音声、制御信号が一体化したシングルケーブルを利用するため、機器間の配線も容易である。従って、本特徴構成のように、携帯電話機が、着信情報信号をＨＤＭＩ規格に準拠させて生成する信号生成部と当該着信情報信号を外部機器に出力するＨＤＭＩ通信部とを有することで、容易に携帯電話機への着信を外部機器を介して報知することができる。つまり、外部機器側には特別なハードウェアやソフトウェアを設けることなく、外部機器を利用して携帯電話機への着信を報知することが可能となる。その結果、ユーザは家の中で携帯電話機への着信があった場合に、携帯電話機を手に取ることなく、着信の知らせをテレビなどの外部機器を介して受け取ることが可能となる。また、テレビなどの音量によりかき消されて携帯電話機への着信音を聞き逃したり、バイブレーションモードに設定された携帯電話機の挙動に気づかなかったりすることも抑制することが可能となる。さらに、ＨＤＭＩ規格は、制御信号により、接続された機器間の連携も容易であるから、外部機器が消えているときであっても携帯電話機から当該外部機器を起動することが可能である。従って、外部機器が消えているときであっても、良好に携帯電話機への着信を外部機器を介して報知することが可能となる。
【０００８】
ここで、前記外部機器は、テレビであると好適である。家の中において最も普及率が高く、映像及び音声の双方を出力可能であり、ＨＤＭＩ規格が具備されたデジタルＡＶ機器は、テレビである。また、ユーザが在宅している際には電源が投入され、ユーザが視聴している可能性も高い。従って、効果的な報知が可能となる。
【０００９】
上述したように、ＨＤＭＩ規格は、制御信号により、接続された機器間の連携も容易であり、外部機器が消えているときであっても携帯電話機から当該外部機器を起動することが可能である。従って、本発明に係る携帯電話機の前記ＨＤＭＩ通信部は、前記着信情報信号の送信に際して、所定時間内に前記外部機器から応答が無い場合には、前記外部機器を起動させるウェイクアップコマンドを送信すると好適である。ウェイクアップコマンドにより外部機器が起動され、外部機器を介して携帯電話機への着信が良好に報知される。
【００１０】
また、上記課題に鑑みて創案された本発明に係る着信報知システムの特徴構成は、
ＨＤＭＩ規格に準拠した信号伝送媒体を介して接続された携帯電話機とテレビとを含む着信報知システムであって、
前記携帯電話機に備えられ、音声通話及びデータ通信の少なくとも一方の着信時に、着信を報知する情報を含む着信情報信号をＨＤＭＩ規格に準拠させて生成する信号生成部と、
前記携帯電話機に備えられ、前記信号伝送媒体を介して、前記テレビとの間でＣＥＣ信号を双方向通信すると共に、前記着信情報信号をＴＭＤＳ信号として前記テレビへ出力する電話側ＨＤＭＩ通信部と、
前記テレビに備えられ、前記信号伝送媒体を介して、前記携帯電話機との間でＣＥＣ信号を双方向通信すると共に、前記着信情報信号を受け取るテレビ側ＨＤＭＩ通信部と、
前記テレビに備えられ、前記着信情報信号に基づいて、前記携帯電話機への着信を視覚的な報知及び聴覚的な報知の少なくとも一方により報知する報知部とを備える点にある。
【００１１】
デジタル機器向けのインターフェースであるＨＤＭＩ規格は、デジタル放送に対応したテレビなど、デジタルＡＶ機器にほぼ標準的に装備されている。ＨＤＭＩ規格を用いれば、映像や音声を非圧縮でテレビへ転送でき、テレビにはデコーダなどの専用チップやソフトウェアを必要としない。さらに、ＨＤＭＩ規格は、接続機器同士が互いに認識することができるインテリジェント機能も有し、制御信号により、接続された機器間の連携も容易である。また、ＨＤＭＩ規格は、映像、音声、制御信号が一体化したシングルケーブルを利用するため、機器間の配線も容易である。従って、本特徴構成のように、携帯電話機が、着信情報信号をＨＤＭＩ規格に準拠させて生成する信号生成部と当該着信情報信号を外部機器に出力するＨＤＭＩ通信部とを有することで、容易に携帯電話機への着信をテレビを介して報知することができる。つまり、テレビ側には特別なハードウェアやソフトウェアを設けることなく、テレビを利用して携帯電話機への着信を報知することが可能となる。また、ＨＤＭＩ規格は、制御信号により、接続された機器間の連携も容易であるから、テレビが消えているときであっても携帯電話機からテレビを起動して、良好に携帯電話機への着信を報知することが可能となる。
【００１２】
ここで、前記電話側ＨＤＭＩ通信部が、前記着信情報信号の送信に際して、所定時間内に前記テレビから応答が無い場合には、前記テレビを起動させるウェイクアップコマンドを送信すると好適である。ウェイクアップコマンドによりテレビが起動され、テレビを介して携帯電話機への着信が良好に報知される。
【００１３】
また、本発明に係る着信報知システムの前記電話側ＨＤＭＩ通信部は、前記着信情報信号を送信、前記テレビを介して前記携帯電話機への着信を報知した後、前記テレビを前記着信情報信号の送信前の状態に戻す復帰コマンドを送信すると好適である。携帯電話機への着信を報知した後に、迅速にテレビが元の状態に戻るので、ユーザに煩わしさを覚えさえることがない。
【００１４】
また、本発明に係る着信報知システムは、前記テレビが、ユーザにより当該テレビを遠隔操作可能なリモートコントローラからの指示を含む操作指示を受け付ける操作指示受付部を有し、前記テレビ側ＨＤＭＩ通信部が、前記操作指示に基づいて前記携帯電話機へ着信内容の送信を要求するメッセージ要求コマンドを送信し、前記電話側ＨＤＭＩ通信部が、前記携帯電話機への着信内容を前記テレビへ送信すると好適である。この構成によれば、携帯電話機を操作することなく、ユーザはテレビを視聴している状態のままで携帯電話機への着信内容を確認することができる。
【００１５】
また、本発明に係る着信報知システムは、前記テレビ側ＨＤＭＩ通信部は、前記テレビが受信中の放送が少なくとも本編及び広告の何れであるかを示す放送識別コマンドを送信し、前記電話側ＨＤＭＩ通信部は、前記放送識別コマンドに基づいて異なる形態で前記携帯電話機への着信を報知させるコマンドを送信すると好適である。
【００１６】
テレビ番組を視聴している時に、画面や音声が強制的に着信情報に切り替わると、ユーザの視聴が妨げられる。また、着信の報知が、通常のテレビ画面にメッセージや図形を重畳表示するものであっても、ユーザが煩わしさを覚える可能性がある。但し、テレビ番組の本編の放送中ではなく、広告の放送中であれば、そのようなユーザの感覚も緩和される。従って、上記のように、放送識別コマンドに基づいて異なる形態で携帯電話機への着信を報知させると好適である。
【図面の簡単な説明】
【００１７】
【図１】本発明の着信報知システムの一例を示す概略図
【図２】本発明の着信報知システムの一例を模式的に示すブロック図
【図３】着信を報知する手順の一例を示すフローチャート
【発明を実施するための形態】
【００１８】
以下、本発明の実施形態を図面に基づいて説明する。本発明の実施形態に係る携帯電話機１０は、図１及び図２に示すように、制御部１１、受信部１２、画像処理モジュール１３、表示部１４、音響処理モジュール１５、受話部１６、送話部１７、操作部１８、送信部１９の各機能部を備えている。また、携帯電話機１０は、ＨＤＭＩ通信部３と、信号生成部１とも備えている。これらの機能部は、ハードウェア及びハードウェアとソフトウェアとの協働により実現され、必ずしもそれぞれが明確に区別され、独立した部品である必要はない。
【００１９】
制御部１１は、携帯電話機１０の各機能部を制御する機能部である。本実施形態においては、制御部１１が、ＣＰＵ（central processing unit）１１ｃを中核として構成され、プログラムメモリ１１ｐやワークメモリ１１ｗと協働して機能する場合を例示している。ＣＰＵ１１ｃ、プログラムメモリ１１ｐ、ワークメモリ１１ｗは、１つのマイクロプロセッサに集積されていても良いし、複数の電子部品から構成されていてもよい。また、よく知られているように、携帯電話機１０には、図示は省略するが、これらの他にも多数の電子部品が搭載されている。尚、図２においては、主としてデータの授受に関する線を図示し、制御対象を示す線については省略している。
【００２０】
受信部１２は、携帯電話機１０への呼び出し信号や、音声通話の音声信号（音響信号）、データ通信のデータ信号等をアンテナ１２ａを介して受信する機能部である。具体的には、携帯電話機１０は、外部の信号発信装置（他の電話機や無線基地局）から発信及び中継された通話音声等の音声信号をアンテナ１２ａ並びに受信部１２により受信し、受信した音声信号に基づく音声情報を音響処理モジュール１５を介して、スピーカを備える受話部１６から出力する音声受信機能（音声通話機能）を有する。また、携帯電話機１０は、外部の信号発信装置から発信及び中継された電子メール情報を伝送する無線信号をアンテナ部１２ａ並びに受信部１２により受信し、受信した信号に基づく電子メール情報の映像を画像処理モジュール１３を介して表示部１４に表示するメール受信機能（電子メール機能）も備えている。
【００２１】
送信部１９は、反対に、アンテナ１２ａを介して呼び出し信号や、音声信号（音響信号）、データ信号などを送信する機能部である。具体的には、携帯電話機１０は、送話部１７に向けて発せられたユーザの通話音声を、音響処理モジュール１５を介して音声信号としてアンテナ１２ａから外部の信号受信装置（他の電話機や無線基地局）に送信する音声送信機能（音声通話機能）を有する。また、携帯電話機１０は、ユーザにより作成された電子メール情報を伝送する無線信号をアンテナ１２ａから外部の信号受信装置に送信するメール送信機能（電子メール機能）も備えている。ユーザは、複数の操作キーを有する操作部１８への操作により、携帯電話機１０に内蔵された電子回路に情報を入力して電子メールを作成する。作成中の電子メール情報を表す画像は表示部１４に表示され、ユーザは、作成途中のメール画像を表示部１４により確認しながら、情報を入力することができる。
【００２２】
また、画像処理モジュール１３は、携帯電話機１０のＧＵＩ（graphic user interface）の中核となり、アドレス帳や機能一覧、入力された電話番号など、携帯電話機１０の操作を案内する画面を表示部１４に表示させる。携帯電話機１０がカメラ機能を有する場合には、画像処理モジュール１３は、撮像されている画像を表示させたり、撮影済みのデータを表示させたりする。また、携帯電話機１０が音響再生機能や録音機能等を有する場合には、音響処理モジュール１５は、受話部１６などのスピーカを介して音楽や音声を再生させたり、送話部１７などのマイクを介して取得される音響をメモリなどの記憶部に記憶させたりする。
【００２３】
テレビ（テレビジョン受像機）２０は、図１及び図２に示すように、制御部２１、チューナ２２、画像処理モジュール２３、表示部２４、音響処理モジュール２５、スピーカ２６、操作部２８、操作指示受付部２９の各機能部を備えている。また、テレビ２０は、ＨＤＭＩ通信部４も備えている。これらの機能部は、ハードウェア及びハードウェアとソフトウェアとの協働により実現され、必ずしもそれぞれが明確に区別され、独立した部品である必要はない。また、携帯電話機１０と同様に、テレビ２０には、図示は省略するが、これらの他にも多数の電子部品が搭載されている。尚、テレビ２０は、本発明の外部機器に相当する。また、テレビ２０は、単機能のテレビジョン受像器に限定されるものではない。テレビ２０には、パーソナルコンピュータと共に１つの装置として構築されたテレビ機能付きパーソナルコンピュータや、ＨＤＭＩに対応したモニタ装置も含まれる。また、モニタ装置には、プロジェクタも含まれる。
【００２４】
制御部２１は、テレビ２０の各機能部を制御する機能部である。本実施形態においては、制御部２１が、ＣＰＵ２１ｃを中核として構成され、プログラムメモリ２１ｐやワークメモリ２１ｗと協働して機能する場合を例示している。これらは、１つのマイクロプロセッサに集積されていても良いし、複数の電子部品から構成されていてもよい。また、よく知られているように、テレビ２０には、これらの他にも多数の電子部品が搭載されている。尚、図２においては、主としてデータの授受に関する線を図示し、制御対象については省略している。
【００２５】
テレビ２０は、不図示のアンテナや同軸ケーブルなどを介して、複数の放送チャンネル信号を受信することが可能である。チューナ２２は、受信可能な複数の放送チャンネル信号の中から、ユーザの指示に応じて特定の放送チャンネル信号を選局する。画像処理モジュール２３は、選択された放送チャンネル信号に基づく映像を表示部２４に表示させる。また、音響処理モジュール２５は、同時にその放送チャンネル信号に基づく音声をスピーカ２６により出力させる。ユーザは、テレビ２０の本体に設置された操作部２８ａのボタンや、リモートコントローラ２８ｂなどの指示入力部２８を用いて放送チャンネルを指示する。操作指示受付部２９は、指示入力部２８に与えられた指示を受け付けて各機能部へ伝達する。操作指示受付部２９は、例えばリモートコントローラ２８ｂの発する赤外線通信データを受信する赤外線受信部を含むことができる。指示入力部２８は、音量や画面切り換え、画面分割などの指示も与えることもでき、その指示は音響処理モジュール２５や画像処理モジュール２３へ伝達される。図２では簡略化のため、制御部２１との関係のみを図示している。
【００２６】
図１に示すように、携帯電話機１０とテレビ２０とは、信号伝送媒体としての信号ケーブル２により互いに接続されている。この信号ケーブル２は，ＨＤＭＩ規格に準拠しており、ＴＭＤＳ信号伝送ライン２ｄとＣＥＣ信号伝送ライン２ｃとを有している。ＨＤＭＩ規格に準拠した信号ケーブル２によって接続された携帯電話機１０とテレビ２０とを含むシステム３０は、本発明の着信報知システムに相当する。信号ケーブル２におけるＴＭＤＳ信号伝送ライン２ｄは、映像信号及び音響信号を一方向にのみ伝送可能である。映像信号及び音響信号は、ＴＭＤＳ信号伝送ラインにより符号化（圧縮）されることなくベースバンド方式で伝送される。本実施形態では、携帯電話機１０からテレビ２０へ映像信号及び音響信号が伝送される。信号ケーブル２におけるＣＥＣ信号伝送ライン２ｃは、コマンドなどの制御系の情報を双方向に伝送可能な信号伝送媒体である。後述するように、携帯電話機１０とテレビ２０とは、信号ケーブル２のＣＥＣ信号伝送ライン２ｃを通じてＣＥＣ信号を双方向通信し、テレビ２０を制御するための情報を互いに送受信することができる。
【００２７】
図２に示すにように、携帯電話機１０及びテレビ２０は、それぞれＨＤＭＩ通信部３及び４を備えている。ＨＤＭＩ通信部３及び４は、それぞれ、ＣＰＵ３ａ及び４ａ、ＴＭＤＳ−ＩＦ３ｂ及び４ｂ、ＣＥＣ−ＩＦ３ｃ及び４ｃを有している。ＣＥＣ−ＩＦ３ｃ及び４ｃは、相互に制御系のＣＥＣ信号を送受可能なインターフェースである。テレビ２０側のＴＭＤＳ−ＩＦ４ｂは、映像信号及び音響信号であるＴＭＤＳ信号を受け取るインターフェースである。携帯電話機１０側のＴＭＤＳ−ＩＦ３ｂは、映像信号及び音響信号であるＴＭＤＳ信号を出力するインターフェースである。このため、携帯電話機１０には画像処理モジュール１３や音響処理モジュール１５から受け取った映像や音響をテレビ２０に出力するための形態（ＴＭＤＳ信号）に変換する信号生成部１が備えられる。
【００２８】
以下、図３のフローチャートも利用して携帯電話機１０への電話やメールの着信を報知する手順について説明する。携帯電話機１０へ電話やメールが着信すると、受信部１２から制御部１１へ着信があることが伝達される。着信があることを伝達された制御部１１は、着信報知プログラムの実行を開始する。図３のフローチャートは、この着信報知プログラムの手順を模式的に示したものである。着信報知プログラムに従い、携帯電話機１０のＨＤＭＩ通信部３は、テレビ２０に接続確認コマンドを送信する（接続確認ステップ：＃１）。具体的には、携帯電話機１０のＨＤＭＩ通信部３のＣＰＵ３ａの制御により、ＣＥＣ−ＩＦ３ｃからＣＥＣ信号伝送ライン２ｃを通じてテレビ２０のＨＤＭＩ通信部４のＣＥＣ−ＩＦ４ｃへ接続確認コマンドが送信される。
【００２９】
テレビ２０に電源が入っており、テレビ２０のＨＤＭＩ通信部４のＣＥＣ−ＩＦ４ｃにおいて正しくテレビ接続コマンドが受信されると、テレビ２０から携帯電話機１０へ応答信号が返信される。具体的には、テレビ２０のＨＤＭＩ通信部４のＣＰＵ４ａの制御により、ＣＥＣ−ＩＦ４ｃからＣＥＣ信号伝送ライン２ｃを通じて携帯電話機１０のＨＤＭＩ通信部３のＣＥＣ−ＩＦ３ｃへ、ＥＤＩＤ（Extended Display Information Data）情報を含む応答信号が送信される（応答ステップ）。ＥＤＩＤ情報は、テレビ２０の表示部２４などのモニタが対応しているディスプレイ・モードを示すもので、画面の有効な画素数 (画面解像度、幅方向及び高さ方向の画素数)、対応するリフレッシュ・レート (ｅｘ．６０Ｈｚ)、色深度 (ｅｘ．１６ビット) が含まれる。
【００３０】
携帯電話機１０の制御部１１は、テレビ２０からの応答があったか否かを判定する（応答確認ステップ：＃２）。応答がない場合には、テレビ２０の電源がオフである可能性があるので、携帯電話機１０のＨＤＭＩ通信部３を介して、テレビ２０にウェイクアップコマンドが送信される（起動ステップ：＃３）。制御部１１は、ウェイクアップコマンドを送信させた後、テレビ２０が起動するために必要と考えられる所定の待機時間を経過した後、処理＃１に戻って接続確認コマンドを再送信させる。この際、制御部１１は、ウェイクアップコマンドを送信した回数が所定回数未満である場合に、処理＃１に戻って接続確認コマンドを再送信させる。所定回数、ウェイクアップコマンドを送信しても応答がない場合には、テレビ２０の主電源がオフであったり、電源ケーブルが接続されていなかったりする可能性もあるので、着信報知プログラムは終了される。
【００３１】
具体的には、図３に示すように、起動ステップ＃３の始めに、ウェイクアップコマンドを送信した回数が所定回数（ｎ）以上か否かが判定される（＃３ａ）。送信回数がｎ回以上の場合には、着信報知プログラムは終了される。送信回数がｎ回未満の場合には、ウェイクアップコマンドが送信され（＃３ｂ）、送信回数ｎがインクリメントされる（＃３ｃ）。送信回数ｎの初期値はゼロであり、着信報知プログラムの起動時に初期化される。
【００３２】
一方、応答確認ステップ＃２において、返信があったと判定された場合には、テレビ２０に割り込みコマンドが送信される（割り込みステップ：＃４）。この間、即ち、制御部１１において応答確認ステップ＃２、割り込みステップ＃４が実行されている間、信号生成部１では、受信部１２が受信した情報に基づいて、画像処理モジュール１３や音響処理モジュール１５と協調して、着信情報が生成される。この際、信号生成部１は、ＨＤＭＩ通信部３が受信したＥＤＩＤ情報を利用して着信情報を生成する。生成された着信情報は、着信情報信号としてＨＤＭＩ通信部３のＴＭＤＳ−ＩＦ３ｂを介して、テレビ２０のＴＭＤＳ−ＩＦ４ｂへ送信される（着信情報送信ステップ：＃５）。ＥＤＩＤ情報を利用することにより、携帯電話機１０は適切な解像度の信号を出力することができる。従って、テレビ２０側には、特別なソフトウェアを組み込む必要はない。つまり、携帯電話機１０側だけに着信報知機能を組み込みだけで、一般的なテレビ２０と協働する着信報知システム３０を構築することができる。
【００３３】
着信情報は、例えば、テレビ２０の表示部２４に重畳される文字情報や図形情報を含み、着信を報知するメッセージや図形、送信元の電話番号やメールアドレスを含むと好適である。携帯電話機１０の不図示のデータベースに電話番号やメールアドレスが登録されている場合には、着信情報に当該電話番号やメールアドレスの所有者の名称などの情報が含まれていてもよい。送信者を特定できるようなアイコン画像や、着信音などが携帯電話機１０に設定されている場合には、そのアイコン画像を表示させたり、着信音を鳴らしたりしてもよい。ユーザは、送信者を特定できることによって、緊急性や重要性を考慮して携帯電話機１０の受信に対応することが可能となる。尚、着信情報は、通常のテレビ２０の表示に重畳されてもよいし、表示部２４の表示内容が置き換えられるものであってもよい。また、テレビ２０の表示部２４を利用した報知に限定されることなく、上述したように、着信音を鳴らすなど、テレビ２４のスピーカ２６も利用して報知されてもよい。テレビ２０の表示部２４及びスピーカ２６は、何れも本発明の報知部５として機能することが可能である。
【００３４】
例えば、応答ステップにおいてテレビ２０から携帯電話機１０へ送信される応答信号に、テレビ２０が受信中の放送が番組の本編であるか広告であるかを示す放送識別コマンドが含まれていると好適である。携帯電話機１０は、割り込みステップ＃４や着信情報送信ステップ＃５において、放送識別コマンドに基づいて異なる形態の信号を送信することが可能である。例えば、割り込みステップ＃４において送信される割り込みコマンドが、テレビ２０の画面の全体を使う割り込みであるか、画面の上部や下部などの一部を使う割り込みであるかを異ならせることができる。また、テレビ２０の画面を切り換えるか、テレビ２０の画面に着信情報を重畳させるかなどの形態を異ならせることもできる。また、これらの形態に応じて、生成及び送信される着信情報信号も異ならせることが可能である。
【００３５】
さらに、着信情報が、テレビ２０の報知部５によって報知された後、テレビ２０の表示部２４を携帯電話機１０の表示部１４の代わりとして、また、テレビ２０のスピーカ２６を携帯電話機１０の受話部１６の代わりとして用いてもよい。つまり、携帯電話機１０とテレビ２０との間で互いにＣＥＣ信号をやり取りして、協調動作が実行されてもよい（協調動作ステップ：＃６）。例えば、テレビ２０のリモートコントローラ２８ｂを利用して、着信したメールをテレビ２０の表示部２４に表示させたり、留守番電話のメッセージをテレビ２０のスピーカ２６を介して再生させたりしてもよい。この他、コンテンツ保護を掛けることによって、着信の報知にＨＤ動画を対応させてもよい。
【００３６】
協調動作に際しては、リモートコントローラ２８ｂやテレビ２０の本体の操作部２８ａを介したユーザからの操作指示が操作指示部２９に受け付けられ、テレビ２０の制御部２１を介して、テレビ２０のＨＤＭＩ通信部４へ伝達される。当該ＨＤＭＩ通信部４のＣＰＵ４ａは、操作指示部２９から伝達されたユーザからの操作指示をＣＥＣ−ＩＦ４ｃを介して、携帯電話機１０へ送信させる。この操作指示をＣＥＣコマンドとして受け取った携帯電話機１０のＨＤＭＩ通信部３は、これを携帯電話機１０の制御部１１に伝達する。携帯電話機１０の制御部１１は、ユーザの操作指示に基づいて、画像処理モジュール１３、音響処理モジュール１５、信号生成部１を制御して、ＴＭＤＳ−ＩＦ３ｂを介して、テレビ２０へデータを送信させる。
【００３７】
当然ながら、このような協調動作は必ずしも必要ではなく、着信報知プログラムは、単純に着信の報知のみを行うものであってもよい。制御部１１は、着信の報知を終えると（必要に応じて協調動作ステップ＃６を実行した後）、ＣＥＣ−ＩＦ３ｃを介して復帰コマンドを送信させる（復帰ステップ：＃７）。これにより、テレビ２０は携帯電話機１０からの割り込みが発生する前の状態に復帰する。テレビ２０の電源がオフ状態であった場合には、復帰コマンドにより、テレビ２０の電源が再度オフ状態とされる。
【００３８】
尚、復帰コマンドは、特定のコマンドではなく、着信報知プログラムの実行途上における経過、例えば、応答確認ステップ＃２や起動ステップ＃３などにおける双方向通信の結果に基づいて選定されてもよい。具体的には、接続確認ステップ＃１において送信された接続確認コマンドに対して直ちに応答があった場合には、単純にテレビ２０の表示部２４などを開放するコマンドが復帰コマンドとして送信されるものであってよい。また、接続確認コマンドに対して直ちに応答がなく、起動ステップ＃３を経て応答があった場合には、テレビ２０の表示部２４などを開放するだけでなく、テレビ２０の電源をオフ状態とするコマンドが復帰コマンドして送信されてよい。当然ながら、起動ステップ＃３を経て応答があった場合でも、テレビ２０の電源をオフ状態にすることなく、単純にテレビ２０の表示部２４などを開放するコマンドが復帰コマンドして送信されてよい。
【００３９】
携帯電話機１０への着信を報知する対象については、全ての着信を報知するようにしてもよいし、携帯電話機１０の側で登録した発信元に限るようにしてもよい。この登録は、例えば、アドレス帳における登録項目の１つとして設けられるとユーザにとって登録が容易となり、利便性も向上する。また、着信が報知される対象は、音声通話や電子メールに限定されるものではない。ユーザが携帯電話機１０で定期的に受け取る有料コンテンツや、無料コンテンツに付随して配信される広告などを含んでいてもよい。例えば、企業広告や映画予告、コンパクトディスクなどのプロモーションムービーなどである。これらがＨＤフォーマットの動画コンテンツの場合、より画面の大きいテレビ２０に表示されることで、配信効果を高めることが可能となる。
【産業上の利用可能性】
【００４０】
本発明は、携帯電話機への着信を外部機器を介して報知する機能を有する携帯電話機に適用することができる。また、携帯電話機への着信を報知する着信報知システムに適用することができる。さらに、携帯電話機を通じて、動画コンテンツなどを配信するコンテンツ配信事業に適用することもできる。
【符号の説明】
【００４１】
１：信号生成部
２：信号伝送媒体
３：ＨＤＭＩ通信部、電話側ＨＤＭＩ通信部
４：テレビ側ＨＤＭＩ通信部
５：報知部
１０：携帯電話機
２０：テレビ（外部機器）
２８：リモートコントローラ
２９：操作指示受付部
３０：着信報知システム
【図１】
2011091699.tif 000003
【図２】
2011091699.tif 000004
【図３】
2011091699.tif 000005